(57)【要約】【課題】収納時は横向き、非収納時は縦向きとして使用するこのできる遠隔操作装置を提供する。【解決手段】機器本体９の収納部９ａ−１への収納時は赤外線を第１の放出口２ａに導き、前記収納部から取り外した非収納時は赤外線を第２の放出口２ｂに導く導光部材７と、非収納時は赤外線を第２の放出口２ｂに導く位置に前記導光部材７を保持する付勢部材８と、収納時は赤外線を第１の放出口２ａに導く位置に前記導光部材７を前記付勢部材８の付勢力に抗して移動させるように、前記収納部９ａ−１と前記導光部材７とに相対的に設けた突起部１１、傾斜面７ａと、横向き表示領域１０ａと縦向き表示領域１０ｂを有するボタン表示部材１０と、収納、非収納に応じて前記横向き表示領域と縦向き表示領域を選択的に前記透過型ボタン群３ａに対応表示させるボタン表示部材１０とを備えた構成である。【選択図】図３
2011155366.tif 000002
【特許請求の範囲】
【請求項１】
内蔵する発光部から赤外線を横方向に放出させる第１の放出口と該赤外線を縦方向に放出させる第２の放出口とを有する本体ケースと、
前記本体ケースの操作表面に設けられた透過型ボタンと、
機器本体の収納部への収納時は赤外線を第１の放出口に導き、前記収納部から取り外した非収納時は赤外線を第２の放出口に導く導光部材と、
非収納時は赤外線を第２の放出口に導く位置に前記導光部材を保持する付勢部材と、
収納時は赤外線を第１の放出口に導く位置に前記導光部材を前記付勢部材の付勢力に抗して移動させるように、前記収納部と前記導光部材とに相対的に設けた係合部と、
横向き表示領域と縦向き表示領域を有するボタン表示部材と、
収納、非収納に応じて前記横向き表示領域と縦向き表示領域を選択的に前記透過型ボタンに対応表示させる表示部材
とを備えた遠隔操作装置。
【請求項２】
手動で導光部材を移動させる操作部材を設けたことを特徴とする請求項１記載の遠隔操作装置。
【発明の詳細な説明】
【技術分野】
【０００１】
この発明は、テレビ、エアコン、ノートパソコン等の各種の電気機器を離れた位置から遠隔操作する赤外線を利用した遠隔操作装置に係り、特に、車の車室内天井に設けられた電気機器を後部座席の乗員が遠隔操作する遠隔操作装置に関するものである。
【背景技術】
【０００２】
近年、この種の遠隔操作装置（以下、リモコンと称する）は、利便性・紛失防止の点から使用しないときは電気機器に収納する機種が見られるようになった。そして、車の車室内天井に設けられた電気機器を後部座席の乗員が遠隔操作するリモコンには、横型、縦型の両方が存在する。
【０００３】
横型リモコンの場合では、後部座席の乗員がリモコンを電気機器の収納部に収納したまま両手で操作し易い他、電気機器自体の省スペースの面で優位性はあるが、電気機器から取り外した非収納時は両手でリモコンを持った操作を強いられ、ユーザにとっては使い勝手の悪いものであつた。
一方、縦型リモコンの場合では、非収納時は片手での操作が可能でクリップ感があり、ユーザにとっては使い勝手がよいが、電気機器自体の省スペースの面で問題があり、収納した場合は意匠性、操作性で難があった。
【０００４】
そこで、リモコンを両方向で使えるようにすれば、上記の点は解消する。しかし、これを実現するためには、赤外線を発光する発光ダイオード（ＬＥＤ：Ｌｉｇｈｔ  Ｅｍｉｔｔｉｎｇ  Ｄｉｏｄｅ）をそれぞれの方向に配置する必要があり、リモコン、電気機器ともにコストアップを強いるものであった。
なお、従来、折り畳み式携帯端末装置において、表示部を縦横方向に切換えると操作部のキーの操作方向も縦横方向に切換えられるようにしたものが特許文献１に開示されている。
【先行技術文献】
【特許文献】
【０００５】
【特許文献１】特許第４２６７６８７号公報
【発明の概要】
【発明が解決しようとする課題】
【０００６】
しかし、特許文献１に開示されたものは、折り畳み式携帯端末装置において、表示の向きに合わせて操作部の表示方向を切換えるため、折り畳み式携帯端末装置の開閉の際に第１文字群と第２文字群を有するスライドシートを移動させる構成であり、収納、非収納に合わせて赤外線の発光方向および操作部を切換えるものではない。
【０００７】
この発明は、上記のような課題を解消するためになされたもので、収納、非収納に応じて自動的に赤外線の発光方向および操作部の表示方向を切換えて、収納時は横向き、非収納時は縦向きとして使用することのできる遠隔操作装置を提供することを目的とする。
【課題を解決するための手段】
【０００８】
この発明に係る遠隔操作装置は、内蔵する発光部から赤外線を横方向に放出させる第１の放出口と該赤外線を縦方向に放出させる第２の放出口とを有する本体ケースと、前記本体ケースの操作表面に設けられた透過型ボタンと、機器本体の収納部への収納時は赤外線を第１の放出口に導き、前記収納部から取り外した非収納時は赤外線を第２の放出口に導く導光部材と、非収納時は赤外線を第２の放出口に導く位置に前記導光部材を保持する付勢部材と、収納時は赤外線を第１の放出口に導く位置に前記導光部材を前記付勢部材の付勢力に抗して移動させるように、前記収納部と前記導光部材とに相対的に設けた係合部と、横向き表示領域と縦向き表示領域を有するボタン表示部材と、収納、非収納に応じて前記横向き表示領域と縦向き表示領域を選択的に前記透過型ボタンに対応表示させる表示部材を備えたものである。
【発明の効果】
【０００９】
この発明によれば、収納時と非収納時とで赤外線の放出方向を縦横に切換えるとともに、操作ボタンの表示方向を切換えるように構成したので、収納時には操作性、意匠性の観点から横向きでの操作が可能となり、非収納時には縦向きで片手での操作が可能となる。
【図面の簡単な説明】
【００１０】
【図１】この発明に係るリモコンの非収納時における平面図である。
【図２】この発明に係るリモコンの収納時における平面図である。
【図３】非収納時におけるリモコンの内部をスケルトンで示す斜視図である。
【図４】収納時におけるリモコンの内部をスケルトンで示す斜視図である。
【図５】非収納時におけるリモコンと収納部との関係を示す断面図である。
【図６】収納時におけるリモコンと収納部との関係を示す断面図である。
【図７】非収納時におけるリモコンからの赤外線放出方向を示す平面図である。
【図８】収納時におけるリモコンからの赤外線放出方向を示す平面図である。
【図９】非収納時におけるリモコンのボタン表示部の拡大断面図である。
【図１０】収納時におけるリモコンのボタン表示部の拡大断面図である。
【図１１】リモコン収納部を示す電気機器の斜視図である。
【発明を実施するための形態】
【００１１】
以下、この発明の実施の形態を図面について詳細に説明する。
実施の形態１．
この発明のリモコン１は図１，２に示すように、長方形をした本体ケース１ａの横側面の１面に赤外線の第１の放出口としての横方向放出口２ａを、縦側面の１面に赤外線の第２の放出口としての縦方向放出口２ｂを有し、その操作表面には透過型操作ボタン群３ａとその他の操作ボタン群３ｂが設けられ、特に、透過型操作ボタン群３ａに対応して収納時（横向き）表示と非収納時（縦向き）表示を備えたボタン表示部材１０が配置されている。このボタン表示部材１０の材料としては、フイルムのように光を透過する材料を使用する。
【００１２】
本体ケース１ａの内部には図３，４に示すように、発光ダイオード４，５を搭載した基板６と、導光部材７が設けられている。この導光部材７は本体ケース１ａ内に縦方向に移動可能に設けられており、リモコン１を機器本体９から取り外した非収納時には、発光ダイオード４から放出された赤外線を縦方向放出口２ｂに導くとともに発光ダイオード５から放出された赤外線を透過型操作ボタン群３ａに対応するボタン表示部材１０の縦向き表示領域１０ｂに導く。
【００１３】
一方、リモコン１を機器本体９の収納部９ａ−１に収納した収納時には、導光部材７は本体ケース１ａ内を縦方向に移動して発光ダイオード４から放出された赤外線を横方向放出口２ａに導くとともに発光ダイオード５から放出された赤外線を透過型操作ボタン群３ａに対応するボタン表示部材１０の横向き表示領域１０ａに導く。ここで、発光ダイオード５、導光部材７は、横向き表示領域１０ａと縦向き表示領域１０ｂを選択的に透過型ボタンに対応表示させる表示部材を構成する。
【００１４】
そして、本体ケース１ａの内部には、非収納時に、発光ダイオード４から放出された赤外線を縦方向放出口２ｂに導くとともに発光ダイオード５から放出された赤外線を透過型操作ボタン群３ａに対応するボタン表示部材１０の縦向き表示領域１０ｂに導く位置に導光部材７を保持する付勢部材８が設けられている。この付勢部材８は例えば、本体ケース１ａの内面と導光部材７との間に圧縮して配設したコイルバネである。
【００１５】
機器本体９の収納部９ａ−１の底面には図５,６に示すように、収納した本体ケース１ａの底面開口１ａ−１から内部に侵入して、導光部材７の傾斜面７ａと当接する突起部１１が形成されている。従って、図５の状態から図６の状態に本体ケース１ａを収納部９ａ−１に収納すると、この収納過程で傾斜面７ａが突起部１１に当接することにより、導光部材７は付勢部材８の付勢力に抗して矢印方向に移動する。このため、図７に示すように、発光ダイオード４から放出された赤外線が入射していた導光路７−１が図８に示すように導光路７−２に切換えられる。
【００１６】
一方、導光部材７の上記の移動によって、図９、図１０に示すように、発光ダイオード５から放出された赤外線が入射していた点７−ａが点７−ｂに変わる。このため、非収納時には図９に示すように、透過型操作ボタン群３ａに対応するボタン表示部材１０の縦向き表示領域１０ｂを照射していた発光ダイオード５からの赤外線が、収納時には図１０に示すように透過型操作ボタン群３ａに対応するボタン表示部材１０の横向き表示領域１０ａを照射するようになる。
なお、この場合、導光部材７から漏れた赤外線がボタン表示部材１０側に移行するのを防止するように、遮光シート１２、ボタン表示部材１０の縦表示領域と横表示領域を仕切る遮光用リブ１３が設けられ、不必要な表示領域は視認不可となる構造である。
【００１７】
この発明に係るリモコンは上記の構成であるから、非収納時には、発光ダイオード４から放出された赤外線は導光路７−１に入射し、この導光路７−１の先端の反射面７−１ａで反射して導光路７−３内を進行して、本体ケース１ａの縦方向放出口２ｂから外部に放出される。このとき、発光ダイオード５からの赤外線は点７−ａから導光路７−５内を進行して透過型操作ボタン群３ａに対応するボタン表示部材１０の縦向き表示領域１０ｂを照射する。従って、ユーザは本体ケース１ａを図１に示すように縦向きの状態にして片手操作することができる。
【００１８】
使用後、本体ケース１ａを図１１に示すように、機器本体９の収納部９ａ−１に横向きに収納すると、導光部材７の移動によって、発光ダイオード４から放出された赤外線は導光路７−２内を進行して、本体ケース１ａの横方向放出口２ａから外部に放出される。このとき、発光ダイオード５からの赤外線は点７−ｂから導光路７−４内に進入し、反射面７−４ａで反射して導光路７−４内を進行し、先端の反射面７−４ｂで反射して導光路７−５内を進行して透過型操作ボタン群３ａに対応するボタン表示部材１０の横向き表示領域１０ａを照射する。従って、ユーザは収納された本体ケース１ａを図１に示すように横向きの状態で両手で操作することができる。本体ケース１ａには出し入れ可能なモニタ９ａが設けられている。
【００１９】
なお、手動で導光部材７を移動可能とする操作部材、例えば取っ手１４を該導光部材と一体に設け、この取っ手１４を本体ケース１ａから外部に突出させておけば、リモコン１を機器本体９の収納部９ａ−１から取り外した非収納時においても、収納時と同様にリモコンを横向きにして両手でゲーム等ができる。
【００２０】
また、実施の形態１では、導光部材７の移動によって発光ダイオード５から放出される赤外線をボタン表示部材１０の縦向き表示領域１０ｂまたは横向き表示領域１０ａに導く構成であるが、導光部材７を移動させる代わりにボタン表示部材１０を移動させるように構成することもできる。
【００２１】
また、実施の形態１では、本体ケース１ａから放出させる赤外線を発生する発光ダイオード４と赤外線をボタン表示部材１０の縦向き表示領域１０ｂまたは横向き表示領域１０ａを表示する赤外線を発生する発光ダイオード５を別個に設けた構成であるが、発光ダイオードは１つとし、この発光ダイオードから放出された赤外線を導光部材によってそれぞれの方向に分けて導光するように構成することもできる。
【００２２】
また、実施の形態１では、収納時と非収納時において、導光部材７を移動させて発光ダイオード４の赤外線を本体ケース１ａの横方向あるいは縦方向から放出させているが、導光部材７を移動させる代わりに、収納時と非収納時に応じて発光ダイオード４を移動させるように構成することもできる。
【００２３】
以上のように、この実施の形態１によれば、収納時と非収納時でリモコンの操作方向を切換わるように構成したので、収納時には操作性、意匠性の観点から横向きでの操作となり、非収納時には縦向きでの操作に切換えることで片手での操作を可能とする。
【符号の説明】
【００２４】
１  リモコン、１ａ  本体ケース、２ａ  横方向放出口，２ｂ  縦方向放出口、３ａ  透過型操作ボタン群，３ｂ  その他の操作ボタン群、  ４，５  発光ダイオード、６  基板、７  導光部材、７ａ  傾斜面、８  付勢部材（コイルバネ）、９  機器本体、９ａ  モニタ、９ａ−１  収納部、１０  ボタン表示部材、１１  突起部、１２  遮光シート、１３  遮光用リブ。
【図１】
2011155366.tif 000003
【図２】
2011155366.tif 000004
【図３】
2011155366.tif 000005
【図４】
2011155366.tif 000006
【図５】
2011155366.tif 000007
【図６】
2011155366.tif 000008
【図７】
2011155366.tif 000009
【図８】
2011155366.tif 000010
【図９】
2011155366.tif 000011
【図１０】
2011155366.tif 000012
【図１１】
2011155366.tif 000013